(57)【特許請求の範囲】
【請求項１】
外部の空気を吸入及び圧縮して外部に吐出するために、防水用ハウジング（１０）内に設置されているターボ送風機（１６）と、
前記ハウジング（１０）の一側の第１の吸入口（１４）に対応するように前記ハウジング（１０）の内部に設置されて、前記ターボ送風機（１６）によって内部に吸入される吸入空気を除湿する第１の除湿部（２０）と、
前記第１の除湿部（２０）を経た空気が前記ターボ送風機（１６）に流入される前に、二次除湿する第２の除湿部（３０）と、
前記ハウジング（１０）の他側の第２の吸入口（１５）に対応するようにハウジング（１０）の内部に設置され、前記ターボ送風機（１６）を通して前記第１の吸入口（１４）を介して流入される吸入空気により、前記第２の吸入口（１５）を介してターボ送風機（１６）に誘引及び吸入される誘引空気を除湿する第３の除湿部（４０）と、
前記ハウジング（１０）内に設置されて前記ターボ送風機（１６）を駆動制御し、前記第３の除湿部（４０）と前記ターボ送風機（１６）との間に設置されて、前記第２の吸入口（１５）を介して流入されて、前記第３の除湿部（４０）を介して流入した誘引空気によって冷却される制御部（５０）と、を含んで構成され、
前記第２の除湿部（３０）は、前記ハウジング（１０）の内部を複数の空間に区画する隔壁（１１ａ）に設置され、前記隔壁（１１ａ）から前記第１の除湿部（２０）に向かって突出形成されて、前記第１の除湿部（２０）を経た空気を除湿する除湿フィルター部（３２）と、前記除湿フィルター部（３２）の一側に設置されて、前記第１の除湿部（２０）を経た空気が前記除湿フィルター部（３２）を通過する前に、湿気を除去する湿気除去部（３１）とを含んで構成されることを特徴とする防水及び防湿機能を持つターボ送風機。
【請求項２】
前記第１及び第３の除湿部（２０、４０）は、
前記ハウジング（１０）の内壁に設置されて流入される空気内の湿気を除去する湿気除去部（２１、４１）と、
前記湿気除去部（２１、４１）の一面に設置されて、湿気が除去された空気内の異物を濾過するフィルター部（２２、４２）と、
前記フィルター部（２２、４２）と対向される形態で所定の間隔で離隔されて前記ハウジング（１０）にインストールされている湿気遮断膜（２３、４３）と、を含んで構成されることを特徴とする請求項１に記載の防水及び防湿機能を持つターボ送風機。
【請求項３】
前記第１及び第２の吸入口（１４、１５）には、それぞれ雨遮断膜（６０）が設置され、
前記雨遮断膜（６０）は、
下方傾斜形で複数個が相互離隔されて連続インストールされている遮断片（６１）と、
複数の前記遮断片（６１）のそれぞれの最下端に折り曲げられて長手方向に流路（６３）を形成することにより、前記遮断片（６１）に乗って下端へ流れる水気と雨水が前記ハウジング（１０）内に流入されず、前記流路（６３）に溜まって一側に排出されるようにする排出誘導部（６２）と、を含んで構成されることを特徴とする請求項１に記載の防水及び防湿機能を持つターボ送風機。
【発明の詳細な説明】
【技術分野】
【０００１】
本発明は、ターボ送風機を屋外で設置可能になるように構造を改善し、防水機能と共に内部に流入される空気を除湿して供給できるように、さまざまな防湿機能も備えるターボ送風機に関するものである。
【背景技術】
【０００２】
一般的に、空気ベアリングターボ送風機の場合には、その特性上、外部の空気を吸入して圧縮した後、これを供給の対象先に圧送するように設計されている。
【０００３】
このようなターボ送風機の場合には、汚廃水処理工程（汚廃水酸素供給及びフィルター、タンクの洗浄等）、原材料の加圧輸送（粉末またはバルク形態の原材料輸送）、セメントの製造工程（セメント、石灰石、及び石炭粉の輸送、熱処理工程の燃焼ガスとダスト処理）、火力発電（石炭粉、フライアッシュ、燃料ガスの脱硫工程）、浄水処理工程（オゾン機及びフィルター洗浄器の空気供給）、食品や薬品処理工程（乾貨物及び飲食、薬剤などの運搬）、化学及び石油化学プロセス（ガス輸送及び圧縮処理）、金属の処理および鉱業（鉄／非鉄の輸送、酸化処理、スラッジフィルター、鋳造汚廃水処理）など様々な分野で使用されている。
【０００４】
特に、廃水／下水の浄水処理場に使用される空気ベアリングターボ送風機の場合には、その構造の特性により機械的な部分よりも電気的な装置の大きな構成比の違いにより、屋内でのみ使用しなければならない。
【０００５】
屋内での使用が限定されているのは、最終的に、圧縮空気を圧送するための圧送ライン（外部管およびダクトなど）が追加で長距離にわたってインストールする必要があるので、高コストの支出及び非効率的使用という問題があった。
【０００６】
また、屋内でのみ使用されている既存の空気ベアリングターボ送風機を屋外で使用する場合には、雨が降れば、雨水がデバイス内部に浸透して、内部のモーターがショートしたり、湿気が浸透して、デバイスを腐食させる問題があり、これを防止するために送風機を増設したり、前述したように、数百メートルの配管工事が行われなければならないことはもちろん、圧損による追加動力の無駄の問題があった。  
【発明の概要】
【発明が解決しようとする課題】
【０００７】
したがって、本発明は、前述のような問題点を解決するために提案された技術であり、本発明の目的は、従来は不可能であった、空気ベアリングターボ送風機に防水機能が具備されるようにして、既存の室内でのみ使用された空気ベアリングターボ送風機のための追加的な圧送ラインの具備及び設置場所の用意などによる設置コストを削減することができ、設置場所に関係なく高効率で使用可能であり、内部に様々な除湿部を実装して防湿機能も持つようにした防水及び防湿機能を持つターボ送風機の提供にある。
【０００８】
本発明の他の目的および利点は、下記に説明されるものであり、本発明の実施例により知ることだろう。また、本発明の目的及び利点は、特許請求の範囲に示した手段との組み合わせによって実現することができる。
【課題を解決するための手段】
【０００９】
本発明は、前記のような問題点を解決するための手段として、外部の空気を吸入及び圧縮して外部に吐出するために、防水用ハウジング１０内に設置されているターボ送風機１６と；前記ハウジング１０の一側の第１の吸入口１４に対応するように前記ハウジング１０の内部に設置されて、前記ターボ送風機１６によって内部に吸入される吸入空気を除湿する第１の除湿部２０と；前記第１の除湿部２０を経た空気が前記ターボ送風機１６に流入される前に、二次除湿する第２の除湿部３０と；前記ハウジング１０の他側の第２の吸入口１５に対応するようにハウジング１０の内部に設置され、前記ターボ送風機１６を通して前記第１の吸入口１４を介して流入される吸入空気により、前記第２の吸入口１５を介してターボ送風機１６に誘引及び吸入される誘引空気を除湿する第３の除湿部４０と；前記ハウジング１０内に設置されて前記ターボ送風機１６を駆動制御することができるが、前記第３の除湿部４０と前記ターボ送風機１６との間に設置されて、前記第２の吸入口１５を介して流入されて、前記第３の除湿部４０を介して流入した誘引空気によって冷却される制御部５０と;を含んで構成されることを特徴とする。
【発明の効果】
【００１０】
以上で説明したように、本発明は、空気軸受のターボ送風機の防水機能が与えられ、外部に設置可能という効果がある。
【００１１】
また、本発明は、外部設置が可能であり、内部のインストールによりさらに施行される圧送ラインが不要であるので、設置費の減少の効果がある。
【００１２】
また、本発明は、設置場所の制限に限定されず、様々な分野や場所に設置が可能な効果がある。
【００１３】
また、本発明は、内部に複数の除湿部を備えことによって、優れた防湿機能を持つ効果がある。
【図面の簡単な説明】
【００１４】
【図１】本発明に係る防水及び防湿機能を持つターボ送風機を示した一実施形態の概念図である。
【発明を実施するための形態】
【００１５】
本発明のいくつかの実施例を詳細に説明する前に、以下の詳細な説明に記載されるか、または図面に示された構成要素の構成及び配列の詳細としてその応用が制限されるものではない。本発明は、他の実施形態で具現されて実施されることができ、様々な方法で行うことができる。また、装置または要素の方向例えば、「前」、「後」、「アップ」、「ダウン」、「上」、「下」、「左」、「右」、「横」などの用語について本発明で使用される表現及び述部は単に本発明の説明を簡略化するために使用され、関連するデバイスまたは要素は、単に特定の方向を持っている必要があることを示したり、意味しないことがわかるだろう。また、「第１の」、「第２の」のような用語は、説明のために、本明細書および添付の請求項に使用されて相対的な重要性や趣旨を示すか、または意味するものと意図されない。
【００１６】
本発明は、前記目的を達成するために、以下の特徴を有している。
【００１７】
以下、添付された図面を参照、本発明の好ましい実施例を詳細に説明する。これに先立ち、本明細書及び請求範囲で使用される用語や単語は通常的または辞典的な意味に限定して解釈されてはならず、発明者は、彼自身の発明を最も最善の方法で説明するために、用語の概念を適切に定義することができる原則に立脚して、本発明の技術的思想に符合する意味と概念に解釈されるべきである。
【００１８】
したがって、本明細書に記載された実施例及び図面に図示された構成は、本発明の最も望ましい一実施例に過ぎないだけで、本発明の技術的思想をすべて代弁するものではないと、本出願時点においてこれらを代替することができる様々な均等物と変形例があり得ることを理解しなければならない。  
【００１９】
そのため、本発明の一実施例を見ると、外部の空気を吸入及び圧縮して外部に吐出するために、防水用ハウジング１０内に設置されているターボ送風機１６、前記ハウジング１０の一側の第１の吸入口１４に対応するようにハウジング１０の内部に設置され、ターボ送風機１６によって内部に吸入される吸入空気を除湿する第１の除湿部２０、前記第１の除湿部２０を経た空気がターボ送風機１６に流入される前に、二次除湿する第２の除湿部３０、前記ハウジング１０の他側の第２の吸入口１５に対応するようにハウジング１０の内部に設置され、ターボ送風機１６を通して第１の吸入口１４を介して流入される吸入空気により、第２の吸入口１５を介してターボ送風機１６に誘引及び吸入される誘引空気を除湿する第３の除湿部４０、及び、ハウジング１０内に設置されてターボ送風機１６を駆動制御することができるようにするが、第３の除湿部４０とターボ送風機１６との間に設置され、第２の吸入口１５を通して流入されて第３の除湿部４０を介して流入した誘引空気によって冷却される制御部５０、を含んで構成されることを特徴とする。
【００２０】
また、前記第１及び第３の除湿部２０、４０は、前記ハウジング１０の内壁に設置されて流入される空気内の湿気を除去する湿気除去部２１、４１、前記湿気除去部２１、４１の一面に設置され、湿気が除去された空気内の異物を濾過するフィルター部２２、４２、及び、前記フィルター部２２、４２と対向される形態で所定の間隔で離隔されてハウジング１０に設置されている湿気遮断膜２３、４３、を含んで構成されることを特徴とする。
【００２１】
また、前記第２の除湿部３０は、前記ハウジング１０の内部を複数の空間に区画する隔壁１１ａに設置されるが、前記隔壁１１ａから第１の除湿部２０に向かって突出形成されて、第１の除湿部２０を経た空気を除湿する除湿フィルター部３２、及び、前記除湿フィルター部３２に一側に設置され、第１の除湿部２０を経た空気が除湿フィルター部３２を通過する前に、湿気を除去する湿気除去部３１を含んで構成されることを特徴とする。
【００２２】
また、前記第１及び第２の吸入口１４、１５には、それぞれ雨遮断膜６０が設置されるが、前記雨遮断膜６０は、下方傾斜形で複数個が相互離隔されて連続インストールされている遮断片６１、及び、前記複数の遮断片６１のそれぞれの最下端に折り曲げられて長手方向に流路６３を形成することにより、遮断片６１に乗って下端へ流れる水気と雨水がハウジング１０内に流入されず、流路６３に溜まって一側に排出されるようにする排出誘導部６２を含んで構成されることを特徴とする。
【００２３】
以下、図１を参照して、本発明の好ましい実施例による防水及び防湿機能を持つターボ送風機を詳細に説明する。
【００２４】
本発明の防水及び防湿機能を持つターボ送風機は、ターボ送風機１６、第１の除湿部２０、第２の除湿部３０、第３の除湿部４０、及び、制御部５０を含んで構成される。
【００２５】
前記ターボ送風機１６は、内部が空いているケーシング形態のハウジング１０の内部に設置固定されて、駆動されることによって、外部の空気を吸入及び圧縮して、様々な用途に圧送する役割をするものである。
【００２６】
そのため、前記ハウジング１０は、一側に第１の吸入口１４を形成し、他側に第２の吸気口１５を形成するようにし、上部には排出口を形成するようにする。
【００２７】
これにより、下記でも詳細に説明するが、ターボ送風機１６が駆動されて第１の吸入口１４を介して空気を吸入し、このような空気の吸入により第２の吸入口１５からも外部の空気がさらに吸入されて流入した後、このような第１及び第２の吸入口１４、１５の空気が圧縮されて上部の吐出口１３を介して使用先に圧送提供される形態である。
【００２８】
ここで、説明の便宜のために、第１の吸入口１４を介して流入される空気を「吸入空気」、第２の吸入口１５を介して流入される空気を「誘引空気」と命名する。しかし、吸入空気及び誘引空気はすべて同じ外気に当るのは当然である。
【００２９】
また、このようなターボ送風機１６は、空気軸受形ターボ送風機１６であり、空気軸受形ターボ送風機１６は、広く公知された技術なので、詳細な説明は省略することになる。このようなターボ送風機１６は、ハウジング１０内部の中段の下部に固定設置され、両側には、別の隔壁１１ａ、１１ｂがターボ送風機１６と連通するように設置され、内部が区画される。
【００３０】
ユーザーの実施例により、前記複数の隔壁１１ｂのいずれかに制御部５０が設置され（もちろん、制御部が隔壁１１ｂに設置されても、隔壁１１ｂの両側は連通するように形成されて、制御部が設置された空間の空気がターボ送風機１６が設置された空間に流入される）、残りの隔壁１１ａには、第２の除湿部３０が設置される。
【００３１】
また、前記ハウジング１０の外周縁には、後述される第１乃至第３の除湿部２０、３０、４０から凝縮されて、床に落ちたり、後述される湿気遮断膜２３、４３にぶつかった水分が凝縮しながら湿気遮断膜２３、４３に沿って下端へ流れて底に落ちる水またはハウジング１０の内部で凝縮されて床に溜まる水が、ハウジング１０の外部に排出されるように、水排出口１２をさらに備えることができる。このような水を容易に外部へ排出するためのモータポンプなども一緒にインストールされることもできる。
【００３２】
さらに、前記ハウジング１０の第１及び第２の吸入口１４、１５のそれぞれの外側には、雨遮断膜６０が設置されるが、空気の流入時、雨水などが流入しないようにするためのものであり、’＼’、または、’／’のように下方に傾斜した複数の遮断片６１が互いに水平になり、下部に連続的に離隔設置されるようにしたものである。これにより、空気の流入時、空気が第１及び第２の吸入口１４、１５に向かって直接流入するのではなく、下方に傾斜した複数の遮断片６１の間に流入するようになる。
【００３３】
また、このような雨遮断膜６０の場合（さらに詳しくは、複数の遮断片６１それぞれの最下端に）、最下端にへら形になるように複数回折り曲げられて、長さ方向に向かって流路６３を形成するようにする排出誘導部６２を形成することによって、雨水がそれぞれの遮断片６１に乗って斜面に流れて、流入する空気によって、そのままハウジング１０の内部に流入しないようになる。遮断片６１を傾斜に乗って流れた雨水は、前記排出量誘導６２の流路６３に溜まった後、流路６３に沿って一方向に移動後に排出するようになる。
【００３４】
前記第１の除湿部２０は、前記ハウジング１０の一側に形成された第１の吸入口１４に対応するようにインストールされているものであり、ハウジング１０の内部で第１の吸入口１４に対応するように設置される。
【００３５】
前記第３の除湿部４０は、ハウジング１０の他側に形成された第２の吸入口１５に対応するようにインストールされているものであり、これはまた、ハウジング１０の内部で第２の吸入口１５に対応するように設置される。
【００３６】
前記第１及び第３の除湿部２０、４０は、同じ構造であり、湿気除去部２１、４１、フィルター部２２、４２、及び湿気遮断膜２３、４３を含んでいる。
【００３７】
前記湿気除去部２１、４１は、前記ハウジング１０の内壁に前記第１の吸入口１４及び前記第２の吸入口１５にそれぞれ対応するように付着設置され、それぞれの吸入口に流入される外気（空気）内の湿気を除去するものである。
【００３８】
前記フィルター部２２、４２は、一面が前記ハウジング１０の内壁に設置された前記湿気除去部２１、４１の他の面にインストールされているものであり、前記湿気除去部２１、４１を通過して湿気がある程度除去された空気内の異物を濾過するようにしたものである。  
【００３９】
前記湿気遮断膜２３、４３は、前記フィルター部２２、４２と所定の間隔で離隔されて対向されている形態であり、荷重の上部から垂直にインストールされているものであり、前記湿気除去部２１、４１及びフィルター部２２、４２を経た空気が衝突したり、または前記湿気除去部２１、４１及びフィルター部２２、４２を経た後にも、空気が持っている湿気を１次的に遮断できるようにしたものである。
【００４０】
これにより、外部の空気は、前記第１及び第３の除湿部２０、４０を介してそれぞれ１次的に水分が除去された後、吸入されるものである。
【００４１】
ただし、前記第１の吸入口１４を介して流入されて、前記第１の除湿部２０を経る空気は前記ターボ送風機１６の駆動によって吸入される吸入空気であり、このような吸入空気がターボ送風機１６に吸入時に、前記吸入空気の吸入力によって、第２の吸入口１５を通して流入されて第３の除湿部４０を経る別の外部の空気（誘引空気）がターボ送風機１６へ一緒に吸入されるものである。  
【００４２】
前記第２の除湿部３０は、前記ハウジング１０の内部の隔壁１１ａ（ターボ送風機１６と第１の除湿部２０との間に位置されている隔壁１１ａ）にインストールされているものであり、除湿フィルター部３２と湿気除去部３１とからなる。
【００４３】
前記除湿フィルター部３２は、隔壁１１ａから第１の除湿部２０に向かって突出形成されているものであり、前記湿気除去部３１は、このように突出した除湿フィルター部３２の一側に対応するようにインストールされているものである。
【００４４】
すなわち、前記第１の除湿部２０を経て、１次的に除湿された吸入空気は、前記ターボ送風機１６に行く前に、再びこのような第２の除湿部３０を経て、前記隔壁１１ａの反対側の前記ターボ送風機１６に移動されるものである。
【００４５】
まず、前記第１の除湿部２０を経た吸入空気は、除湿フィルター部３２の一側に形成された湿気除去部３１を介して除湿フィルター部３２に流入されながら湿気が除去され、湿気除去部３１を経た空気は除湿フィルター部３２を通過しながら除湿工程が行われた後、ターボ送風機１６に移動される構造を有するものである。
【００４６】
つまり、このような第２の除湿部３０は、第１の除湿部２０から一次除湿された吸入空気を二次除湿する役割をするものである。
【００４７】
加えて、前記除湿フィルター部３２の場合には、ユーザーのさまざまな実施に応じて、複数のフィルターがジグザグ形で、除湿フィルター部３２の空間内で、上、下側に交互に相互離隔されて連続インストールされている形態になるようにすることもできる。
【００４８】
前記制御部５０は、前記第３の除湿部４０とターボ送風機１６との間に位置されている隔壁１１ｂに設置されるものであり、電気電子コントロールパネル、すなわちコントロールパネルに該当する。
【００４９】
このような制御部５０は、前記ハウジング１０の外部の操作パネルと電気的に接続され、前記ターボ送風機１６とも電気的に接続されて、前記ターボ送風機１６のＯＮ／ＯＦＦ動作、送風速度、時間などを制御することができる。
【００５０】
前記制御部５０は、上述したように、前記第３の除湿部４０と前記ターボ送風機１６との間に設置されることによって、前記ターボ送風機１６が駆動されて、前記第１の吸入口１４を介して空気が流入する時、前記第２の吸入口１５を介して流入された空気（流入後、前記第３の除湿部４０を介して除湿された空気）により、動作時に発生する熱が除去されるものである。
【００５１】
即ち、前記第１の吸入口１４から吸入される吸入空気の吸入力により、前記第２の吸入口１５からも流入空気が吸入されるが、このような流入空気が吸入されながら、制御部５０を経て制御部５０が冷却されるものである。
【００５２】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【産業上の利用可能性】
【００５３】
本発明は、空気軸受のターボ送風機の防水機能を提供して、外部に設置が可能であり、内部のインストールによりさらに実施する圧送ラインが不要であるので、設置費の減少の効果を提供することの利点を提供することになり、これにより、ターボ送風機、あるいはターボブロワー分野に有用に活用されることがある。
【符号の説明】
【００５４】
１０  ハウジング  
１ａ、１１ｂ  隔壁
１２  水排出口  
１３  吐出口
１４  第１の吸入口  
１５  第２の吸入口
１６  ターボ送風機  
２０  第１の除湿部
２１、３１、４１  湿気除去部  
２２、４２  フィルター部
２３、４３  湿気遮断膜  
３０  第２の除湿部
３２  除湿フィルター部  
４０  第３の除湿部
５０  制御部  
６０  雨遮断膜
６１  遮断片  
６２  排出流路部
６３  流路
【図１】
0006524499.tif 000002